(57)【要約】      （修正有）【課題】不使用時には仕切り板全体を遊技機から取り外しができ、使用時には簡単に取り付け固定できる強固な仕切り装置を提供する。【解決手段】遊技機本体間に設けられた縦桟に仕切り板１５を取着する仕切り装置において、該縦桟の長手方向に沿ってその表面に所定間隔を有して複数個の開口部及びその上方部に係止用開口部を設け、他方、仕切り板１５の背面側の固定部にフック状掛け止め部１９を該複数個の開口部に合致する位置に突出して設け、該係止用開口部に弾発状係止部材を挿入固定し、該複数個の開口部に該フック状掛け止め部１９を挿入し、該係止部材により仕切り板１５の上端部を押えることにより該仕切り板１５を着脱自在に取着してなることを特徴とする仕切り装置。【選択図】図５
0003180494.tif 000002
【実用新案登録請求の範囲】
【請求項１】
遊技機本体間に設けられた縦桟に仕切り板を取着する仕切り装置において、該縦桟の長手方向に沿ってその表面に所定間隔を有して複数個の開口部及びその上方部に係止用開口部を設け、他方、仕切り板の背面側の固定部にフック状掛け止め部を該複数個の開口部に合致する位置に突出して設け、該係止用開口部に弾発状係止部材を挿入固定し、該複数個の開口部に該フック状掛け止め部を挿入し、該係止部材により仕切り板の上端部を押えることにより該仕切り板を着脱自在に取着してなることを特徴とする仕切り装置。
【請求項２】
縦桟は、表面となるウェッブの両端にフランジを設けた長尺のリップ溝型形状とし、その長手方向の両端部となる上部及び底部には遊技機本体へ取り付けるための取着平板部を固定してなることを特徴とする請求項１記載の仕切り装置。
【請求項３】
仕切り板の背面側の固定部は、断面略Ｌ字型長尺部材とし、一方の片の外面部に複数個のフック状掛け止め部を設け、他方の片は、その内面部に所定間隙を設けて他の部材を固定し、該間隙を仕切り板の板体後方側縁部挿入部としてなることを特徴とする請求項１又は２記載の仕切り装置。
【請求項４】
断面略Ｌ字型長尺部材は、外側となるＬ字型長尺部材の内側に、他のＬ字型長尺部材の他方の片側を所定間隔を有するように離隔し、一方の片側を密着固定してなることを特徴とする請求項３記載の仕切り装置。
【請求項５】
係止部材は、左右突出片、中央部のストッパ部及び取着片とよりなり、係止用開口部の隣接位置となる縦桟内側に該突出片及び取着片を係止、固定することにより前後方向に可動自在としてなることを特徴とする請求項１乃至４のいずれか記載の仕切り装置。
【請求項６】
仕切り板の板体は、その上方側を拡開部、下方側を狭小部とし、上下及び前方側縁部にはエッジガードを固定してなることを特徴とする請求項１乃至５のいずれか記載の仕切り装置。
【考案の詳細な説明】
【技術分野】
【０００１】
本考案は、遊技機エリア間となる仕切り位置に配置し、隣接する他の遊技機エリア内に煙草の煙が流出することを防止するための仕切り装置に関するものである。
【背景技術】
【０００２】
パチンコ店などの遊技場等において、喫煙者の遊技する遊技機エリアから煙草の煙が隣接する遊技機エリア内に流出してくることが多く、非喫煙者或いは嫌煙家の遊技者にとっては苦痛であった。
【０００３】
そこで、遊技場や遊技機の上方に吸引装置と連結された吸引ダクトを設け、その開口部より煙草の煙を吸引することによって、煙発生源となる遊技機エリアから他の遊技機エリア側へ煙が分散することを防止する排煙装置が提供されている。
【０００４】
また、遊技機のカウンター台の遊技者前方の左右両横に設けたエア吹出部等から吹出される上昇エア流に煙草の煙を乗せ、遊技機本体の上部に設けたエア吸引部によりその煙を吸引し、煙草の煙が他の遊技機エリア側へ流れることを防止ないしは抑制する煙草の煙遮断装置が提供されている。
【０００５】
しかし、上記いずれの手段も、喫煙者の手元或いは灰皿等から発生した煙は横方向へ拡散し、他の遊技機エリア側へ煙が流出することになり、また同時に、煙草の匂いも直接他の遊技者へ伝わっていた。
【０００６】
上記状態を防止するため、遊技機エリア間に仕切り板を設け、煙草の煙及びその匂いが他の遊技者に直接伝わるのを防止する手段が講じられてきている。
【０００７】
しかし、上記仕切り板は、遊技機エリア間に遊技機本体より前方へ突出して固定設置されるため、未使用時における遊技機やその周辺及び店内の掃除等においては邪魔であった。
【０００８】
そこで、特許文献１では、遊技機本体間に配置した収納ケース内に重合状態で複数枚の仕切り板を出退自在に収納し、引出し動作によりその複数枚の仕切り板が１個の仕切り板として機能するようにした仕切り装置を提案している。
【０００９】
また、特許文献２では、遊技機の前方へ小さく突出して配置した固定板部に、不使用時には該固定板部に重ね合わせておき、使用時には前方へ移動できる仕切り板部を設け、両者を固定することにより分煙ボードとしている仕切り手段を提案している。
【００１０】
上記特許文献１、２のいずれも、不使用時には仕切り板部が前方へ大きく突出している状態を防止できるものであるが、両者とも複数枚の板状体を連結することによって１個の仕切り板が形成されるものであり、仕切り手段としての強度に欠け、且つ耐久性に問題のあるものであった。
【００１１】
また、前者にあっては、遊技機間の隙間の内側に収納ボックスを形成しなくてはならず、該収納ボックスは薄い遊技機より後方へ大きく突出することになり、内側空間の一部を占有することになり、また、埃が溜まったり、故障したときの修理が大変であった。
【００１２】
更に、後者にあっては、固定板部が遊技機の表面より前方に突出しており、該遊技機のカウンター台の掃除或いは仕切り板部を移動して固定する作業等が必要となり、強度不足や耐久性不足に加えて不便なものであった。
【先行技術文献】
【特許文献】
【００１３】
【特許文献１】実用新案登録第３１２３２４３号公報
【特許文献２】特開２０１２−１１１４０号公報
【考案の概要】
【考案が解決しようとする課題】
【００１４】
本考案は、上記欠点を解決したもので、不使用時には仕切り板全体を遊技機から取り外しができ、使用時には簡単に取り付け固定できる強固な仕切り装置を提供できるものである。
【課題を解決するための手段】
【００１５】
本考案は、遊技機本体間に設けられた縦桟に仕切り板を取着する仕切り装置において、該縦桟の長手方向に沿ってその表面に所定間隔を有して複数個の開口部及びその上方部に係止用開口部を設け、他方、仕切り板の背面側の固定部にフック状掛け止め部を該複数個の開口部に合致する位置に突出して設け、該係止用開口部に弾発状係止部材を挿入固定し、該複数個の開口部に該フック状掛け止め部を挿入し、該係止部材により仕切り板の上端部を押えることにより該仕切り板を着脱自在に取着してなる仕切り装置を特徴とする。
【００１６】
また、上記縦桟は、表面となるウェッブの両端にフランジを設けた長尺のリップ溝型形状とし、その長手方向の両端部となる上部及び底部には遊技機本体へ取り付けるための取着平板部を固定してなる仕切り装置を特徴とする。
【００１７】
更に、上記仕切り板の背面側の固定部は、断面略Ｌ字型長尺部材とし、一方の片の外面部に複数個のフック状掛け止め部を設け、他方の片は、その内面部に所定間隙を設けて他の部材を固定し、該間隙を仕切り板の板体後方側縁部挿入部としてなる仕切り装置を特徴とする。
【００１８】
また、上記断面略Ｌ字型長尺部材は、外側となるＬ字型長尺部材の内側に、他のＬ字型長尺部材の他方の片側を所定間隔を有するように離隔し、一方の片側を密着固定してなる仕切り装置を特徴とする。
【００１９】
更に、上記係止部材は、左右突出片、中央部のストッパ部及び取着片とよりなり、係止用開口部の隣接位置となる縦桟内側に該突出片及び取着片を係止、固定することにより前後方向に可動自在としてなる仕切り装置を特徴とする。
【００２０】
また、上記仕切り板の板体は、その上方側を拡開部、下方側を狭小部とし、上下及び前方側縁部にはエッジガードを固定してなる仕切り装置を特徴とする。
【考案の効果】
【００２１】
本考案の仕切り装置は、遊技機エリアから生じる喫煙者の煙草の煙や匂いの流れを防止ないしは抑制することができると同時に、遊技機の未使用時における遊技機やその周辺及び店内の掃除等においては邪魔となる仕切り装置を簡単に取り外すことが可能となった。
【００２２】
また、遊技機への装着時には所定厚さの１個の仕切り板によって仕切りを形成できるので、強度が有り、耐久性に優れた仕切り装置を提供できると同時に、弾発状係止部材によりその上端部が押え付け支持されるので、振動や衝撃に対して脱落することなく、仕切り板を強固に固定することが可能となった。
【図面の簡単な説明】
【００２３】
【図１】本考案の仕切り装置において、遊技機間に縦桟を取着した状態を示す正面図。
【図２】（ａ）本考案の仕切り装置の縦桟の正面図、（ｂ）同縦桟の側面図、（ｃ）同縦桟の上面図、（ｄ）同縦桟の底面図。
【図３】本考案の仕切り装置の係止部材の側面図。
【図４】本考案の仕切り装置の縦桟に係止部材を挿入し係止、固定した状態を示す側断面図。
【図５】（ａ）本考案の仕切り装置の仕切り板の側面図、（ｂ）同固定部材の側面図、（ｃ）同固定部材の正面図、（ｄ）同固定部材の斜視図、（ｅ）同固定部材の上面図。
【考案を実施するための形態】
【００２４】
以下、本考案を実施するための形態について、図面に基づいて詳細に説明する。
【実施例１】
【００２５】
図１は、遊技機１の本体間の間隙に固定した縦桟２を示している。遊技機１間の枠材が配設される位置を利用し、その表面が略面一となるように該縦桟２を固定している。従って、後述する仕切り板が取着されていない状態では、通常の島における仕切り装置のない複数の遊技機１が並設された状態と同一である。
【００２６】
図２（ａ）は該縦桟２の正面図、（ｂ）は同側面図、（ｃ）は同上面図、（ｄ）は同底面図を示している。該縦桟２は、表面となるウェッブ３の両端にフランジ４ａ、４ｂを設けたボンデ鋼板等の長尺のリップ溝型形状とし、その長手方向の両端部となる上部及び底部には各々取着平板部５、６を固定している。
【００２７】
該ウェッブ３には所定間隔を有して複数個の開口部７を形成している。該開口部７は、縦方向に長い矩形状の長孔部とし、後述する仕切り板のフック状係止部が挿入され、落し込まれる開口部として形成されている。
【００２８】
更に、該ウェッブ３の上方部には、仕切り板の上端部を押えるための弾発状係止部材８を挿入固定するための横長の係止用開口部９を設けている。該係止用開口部９には、図３に示す係止部材８が該係止用開口部９の横長幅に渡って挿入され係止、固定自在として形成されている。
【００２９】
該ウェッブ３の両端には、フランジ４ａ、４ｂを設けてリップ溝型形状とすることで縦桟２を強固なものとして形成している。
【００３０】
また、該縦桟２の上部及び底部には各々取着平板部５、６を固定し、該取着平板部５、６には遊技機側に設けた横桟等に固定するためのネジ孔が設けられ、それを利用して遊技機間に該縦桟２を固定することになる。
【００３１】
更に、該縦桟２のウェッブ３幅は、適宜なものを使用することができるので、仕切り装置が着脱されるスペース外のスペースをポップ入れ等の他の様々な設備のための有効手段とすることができる。
【００３２】
該係止部材８は、左右の突出片１０、１１、中央部の前方へ突出した湾曲状のストッパ部１２及び取着片１３とよりなり、弾発力のある板バネを加工して形成されている。
【００３３】
図４に示すように、縦桟２の係止用開口部９の内側隣接位置には、上方側に取着平板部５が設けられているので、該係止片１０から直交方向に突出した取着片１３を該取着平板部５の裏面側に位置させ、ネジ孔等を利用することにより該係止部材８を固定することができる。
【００３４】
他方、該係止用開口部９の下方側には該ウェッブ３と直交方向に係止受片１４が内側へ突設形成されている。該係止受片１４は、該係止用開口部９の下縁部に板状のものを固定して形成している。
【００３５】
該係止部材８は、斜めにし或いはストッパ部１２を上下方向に押圧して該係止用開口部９より左右の突出片１０、１１及び取着片１３を挿入し、左突出片１０はそれに連続形成している取着片１３を該取着平板部５に固定し、右突出片１１は係止受片１４の内側先端部を乗り越えて該先端部に当接する位置に落し込み、該ストッパ部１２の下面部が該係止受片１４上に位置するように配設されることになる。
【００３６】
従って、係止部材８を挿入し係止、固定後において、該取着片１３は該係止部材８が縦桟２の奥側に入り込むのを防止し、該係止受片１４は該係止部材８が前方側へ抜け落ちることを防止している。
【００３７】
図５（ａ）は、該縦桟２に着脱自在に固定される仕切り板１５の側面図である。該仕切り板１５は、遊技機１側となる背面側の固定部材１６、板体１７及び該板体１７の上下及び前方側周縁部を被覆するエッジガード１８とより構成されている。該固定部材１６は、断面略Ｌ字型長尺部材とし、外方部となる一方の片のウェッブに複数個のフック状係止部１９を突出させて設け、他方の片のフランジには該板体１７の後方側縁部を挿入固定するための所定間隔を有して離隔した２片を形成している。
【００３８】
固定部材１６は、図５（ａ）乃至（ｅ）、特に図５（ｅ）に示すように、ボンデ鋼板等の外側Ｌ字型部材１６ａの内側に他の部材となる内側Ｌ字型部材１６ｂを重ね合わせ、一方の片となるフック状係止部１９を設けたウェッブ側は両者を重ね合わせてスポット溶接等により一体化し、他方の片となるフランジ側には板体１７の後方側縁部を挿入固定するための間隙Ｈが設けられるようにして一体化されている。
【００３９】
上記間隙Ｈの寸法は、例えば、板体１７の厚さが２ｍｍの場合、その寸法は２．１〜２．２ｍｍとする。一体化は、該固定部材１６の間隙Ｈに板体１７の後方側縁部を挿入後、該固定部材１６の側面から複数個のネジ孔等を利用してネジやビス止め等により行うことができる。
【００４０】
固定部材１６の一方の片となるウェッブには、上記縦桟２のウェッブ３に設けた開口部７間隔に一致して断面Г型のフック状係止部１９を複数個突出形成し、該フック状係止部１９を該開口部７に挿入して落し込むことにより仕切り板１５を該縦桟２に固定することになる。
【００４１】
前記したように、縦桟２のウェッブ３上方部の横長の係止用開口部９には横長の弾発状の係止部材８が挿入固定されるので、少なくともその一端部は仕切り板１５より横方向外方へ突出状態とされている。その突出側を押すことにより該係止部材８は内側へ押し込まれることになり、該仕切り板１５の複数個のフック状係止部１９を対応する複数個の該開口部７に落し込むことができる。
【００４２】
その後、該係止部材８の押し込みを解除すると、その部材の弾発力により該係止部材８は前方へ突出し、該仕切り板１５の後方側上端部上へ位置することになる。該係止部材８により該仕切り板１５の後方側上端部が押え付けられることになるので、該仕切り板１５の装着後において、各種振動や衝撃等によって該仕切り板１５が脱落することはない。
【００４３】
また、該仕切り板１５を取り外す場合は、該係止部材８を押圧して縦桟２の内側へ押し込み、その状態で該仕切り板１５を持ち上げることにより容易に行うことができる。
【００４４】
仕切り板１５の板体１７は、ガラス板やアクリル系樹脂等の合成樹脂板等の少なくとも２ｍｍ厚前後の透明又は半透明な材料を使用し、適宜な形状のものを選択することができる。図５（ａ）に示すように、上方側を拡開部、下方側を固定部材１６側に向けて切欠部を設けることにより狭小部とすることができ、それにより遊技機１からの突出状態を変化させることができる。該仕切り板１５による分煙を可能とし、且つ下方側に切欠部を設けることにより遊技機エリアへの着脱席の際に遊技者の足やその他の部分が接触することを防止することが可能となる。
【００４５】
また、板体１７の角部を曲部とすることにより遊技者との接触時の安全性を高めることができる。更に、該板体１７の周囲となる上下及び前方側縁部にエッジガード１８を被覆固定することにより、一層の安全を図ることができる。
【００４６】
上記に記載したように、本考案の仕切り装置により各遊技者の遊技機エリアが形成され、喫煙者から生じる煙草の煙は該仕切り装置により他の遊技機エリアへの横方向への拡散流出が防止ないし抑制され、該遊技機エリアの上方部に形成される吸引ダクト等の煙排出手段により上方への煙の流れを導き出すことができ、有効に煙を排出することが可能となる。
【符号の説明】
【００４７】
１                          遊技機
２                          縦桟
３                          ウェッブ
４ａ、４ｂ                  フランジ
５、６                      取着平板部
７                          開口部
８                          係止部材
９                          係止用開口部
１０、１１                  突出片
１２                        ストッパ部
１３                        取着片
１４                        係止受片
１５                        仕切り板
１６                        固定部材
１７                        板体
１８                        エッジガード
１９                        フック状係止部
【図１】
0003180494.tif 000003
【図２】
0003180494.tif 000004
【図３】
0003180494.tif 000005
【図４】
0003180494.tif 000006
【図５】
0003180494.tif 000007